(57)【要約】【課題】デッキ構造の見栄えを低下させず、コストアップも抑制されるデッキ支持脚のカバー構造を提供する。【解決手段】基礎Ｋの上に配置された支持脚１１と、支持脚１１の上に載置されたデッキ材とを有するデッキ構造に用いられる支持脚１１の周囲を覆うカバー１０の構造であって、支持脚１１は、基礎Ｋに固定される基部と、基部に立設されてデッキ材を下方から支持し、水平方向の寸法が基部より小さい支柱部とを有し、カバー１０は、基部を覆うための基部カバー部材１３と、水平方向の寸法が基部カバー部材１３より小さい、支柱部を覆うための支柱部カバー部材１２とを有する。【選択図】図４
2015086583.tif 000002
【特許請求の範囲】
【請求項１】
地盤の上に配置された支持脚と、支持脚の上に載置されたデッキ材とを有するデッキ構造に用いられる上記支持脚の周囲を覆うカバーの構造であって、
上記支持脚は、地盤に固定される基部と、基部に立設されてデッキ材を下方から支持し、水平方向の寸法が基部より小さい支柱部とを有し、
上記カバーは、上記基部を覆うための基部カバー部材と、水平方向の寸法が基部カバー部材より小さい、上記支柱部を覆うための支柱部カバー部材とを有することを特徴とするデッキ支持脚のカバー構造。
【請求項２】
請求項１に記載のデッキ支持脚のカバー構造において、
基部カバー部材及び支柱部カバー部材は、それぞれ、同一形状の複数の構成部品が係脱可能に組み合わされてなっていることを特徴とするデッキ支持脚のカバー構造。
【請求項３】
請求項１又は２に記載のデッキ支持脚のカバー構造において、
基部カバー部材は、支柱部カバー部材の下端部が係合可能な係合溝を有することを特徴とするデッキ支持脚のカバー構造。
【請求項４】
請求項３に記載のデッキ支持脚のカバー構造において、
基部カバー部材は、上記係合溝の側壁に設けられた突起を有することを特徴とするデッキ支持脚のカバー構造。
【請求項５】
請求項３又は４に記載のデッキ支持脚のカバー構造において、
基部カバー部材は、上記係合溝の底壁に設けられた貫通孔を有することを特徴とするデッキ支持脚のカバー構造。
【請求項６】
請求項１から５のいずれか１項に記載のデッキ支持脚のカバー構造において、
上記支持脚は、支柱部の上端部に設けられてデッキ材が載置される支持部を有し、
上記支持部は、支柱部カバー部材の上端部よりも上方に突出する位置に設けられていることを特徴とするデッキ支持脚のカバー構造。
【発明の詳細な説明】
【技術分野】
【０００１】
本発明は、デッキ構造に用いられる支持脚の周囲を覆うカバーの構造に関する。
【背景技術】
【０００２】
建物に隣接して屋外に施工されるデッキ構造は、例えば特許文献１に開示されるように、地盤（本発明で「地盤」とは、デッキ構造が施工される土地側の部分を意味し、例えば、地面、地表面、土壌面、施工面、コンクリート下地面、コンクリートブロック面や、基礎等を含む。）の上に配置された複数の支持脚の上にデッキ材が載置された構造である。支持脚は、地盤に接着剤やボルト等によって固定された基部と、基部に立設されてデッキ材を下方から支持する支柱部とを有する。
【０００３】
支持脚は、そのままでは地盤とデッキとの間で露出し、外観上好ましくない。デッキ材の側面に幕板が設けられることがあるが、幕板は支持脚まで隠すことができない。特に、デッキの床が高い場合はなおさらである。支持脚まで隠すために幕板を地盤近くまで延設することが考えられるが、そうするとデッキの床下の通風性が低下する。また、そうしたところで、支持脚の基部まで十分に隠すことは難しい。
【０００４】
そこで、特許文献１には、支持脚の基部に支柱部の周囲を覆うカバーを設置することが開示されている。これによれば、デッキの床下の通風性を低下させることなく、支持脚全部を隠すことができる。
【先行技術文献】
【特許文献】
【０００５】
【特許文献１】特開２００４−１００２５６号公報
【発明の概要】
【発明が解決しようとする課題】
【０００６】
特許文献１に開示されるカバーは、支柱部に比べて水平方向の寸法が大きい基部の外形に沿った断面形状を有する筒状部材で構成されている。そのため、上記カバーは、比較的大型の部材となり、デッキ構造の見栄えの向上のために設置されたものが却って目立ってしまうという問題がある。また、カバーが大きくなると、材料費が嵩み、コストアップにつながるという問題もある。
【０００７】
そこで、本発明は、デッキ構造の見栄えを低下させず、コストアップも抑制されるデッキ支持脚のカバー構造の提供を目的とする。
【課題を解決するための手段】
【０００８】
上記課題を解決するためのものとして、本発明は、地盤の上に配置された支持脚と、支持脚の上に載置されたデッキ材とを有するデッキ構造に用いられる上記支持脚の周囲を覆うカバーの構造であって、上記支持脚は、地盤に固定される基部と、基部に立設されてデッキ材を下方から支持し、水平方向の寸法が基部より小さい支柱部とを有し、上記カバーは、上記基部を覆うための基部カバー部材と、水平方向の寸法が基部カバー部材より小さい、上記支柱部を覆うための支柱部カバー部材とを有することを特徴とするデッキ支持脚のカバー構造である（請求項１）。
【０００９】
本発明によれば、デッキ構造に用いられる支持脚の周囲を覆うカバーは、支持脚の基部を覆うための基部カバー部材と、支持脚の支柱部を覆うための支柱部カバー部材とに分離している。また、支柱部の水平方向の寸法が基部より小さいので、支柱部カバー部材の水平方向の寸法が基部カバー部材より小さくされている。そのため、支柱部カバー部材が小型化し、支柱部カバー部材を含むカバー全体が目立つことが抑制される。また、カバーの材料費も少なくて済む。
【００１０】
以上により、本発明によれば、デッキ構造の見栄えを低下させず、コストアップも抑制されるデッキ支持脚のカバー構造が提供される。
【００１１】
本発明においては、基部カバー部材及び支柱部カバー部材は、それぞれ、同一形状の複数の構成部品が係脱可能に組み合わされてなっていることが好ましい（請求項２）。
【００１２】
この構成によれば、基部カバー部材及び支柱部カバー部材が複数の構成部品の組み合わせでなるので、カバーをどのような時期にでも支持脚に取り付け又は支持脚から取り外すことができる。例えば、支持脚の高さ調節が終った後でカバーを支持脚に取り付けることができる。そのため、支持脚の高さ調節がカバーで邪魔されずに行える。また、カバーを支持脚に取り付けた後に支持脚の高さ調節が必要になった場合でも、カバーを取り外して支持脚の高さ調節を再度行うことができる。加えて、各カバー部材の構成部品が同一形状なので、構成部品の種類が少なくて済み、この点からもコストアップが抑制される。
【００１３】
本発明においては、基部カバー部材は、支柱部カバー部材の下端部が係合可能な係合溝を有することが好ましい（請求項３）。
【００１４】
この構成によれば、上記係合溝により、支柱部カバー部材を基部カバー部材に係脱可能に連結できる。
【００１５】
本発明においては、基部カバー部材は、上記係合溝の側壁に設けられた突起を有することが好ましい（請求項４）。
【００１６】
この構成によれば、上記突起により、支柱部カバー部材を係合溝に挟み込んで抜け難くできる。
【００１７】
本発明においては、基部カバー部材は、上記係合溝の底壁に設けられた貫通孔を有することが好ましい（請求項５）。
【００１８】
この構成によれば、上記貫通孔により、支柱部カバー部材の表面を流れ落ちてきた雨水等を係合溝の底壁から地盤に排水できる。
【００１９】
本発明においては、上記支持脚は、支柱部の上端部に設けられてデッキ材が載置される支持部を有し、上記支持部は、支柱部カバー部材の上端部よりも上方に突出する位置に設けられていることが好ましい（請求項６）。
【００２０】
この構成によれば、支持脚の支持部に確実にデッキ材が載置され、誤って支柱部カバー部材の上端部にデッキ材が載置されることが回避される。そのため、カバーの破損が抑制される。
【発明の効果】
【００２１】
本発明は、デッキ構造の見栄えを低下させず、コストアップも抑制されるデッキ支持脚のカバー構造を提供するから、デッキ構造に用いられる支持脚の周囲を覆うカバーの構造の技術の発展及び向上に寄与する。
【図面の簡単な説明】
【００２２】
【図１】本発明の実施形態に係るデッキ構造の斜視図である。
【図２】図１の状態から幕板及びカバーを部分的に取り外した状態を示す斜視図である。
【図３】上記カバーの分解斜視図である。
【図４】支持脚に上記カバーを取り付けた状態を示す斜視図である。
【図５】上記カバーの支柱部カバー部材の平面図である。
【図６】上記カバーの基部カバー部材の構成部品の斜視図である。
【図７】上記構成部品の底面側からの斜視図である。
【図８】上記基部カバー部材の斜視図である。
【図９】上記基部カバー部材の平面図である。
【図１０】上記基部カバー部材の係合溝を示す部分拡大縦断面図である。
【図１１】上記基部カバー部材の構成部品同士の係合の態様を示す部分拡大平断面図である。
【図１２】図４の状態の平面図である。
【発明を実施するための形態】
【００２３】
（１）デッキ構造
図１は本実施形態に係るデッキ構造１の斜視図である。このデッキ構造１は建物Ｈに隣接して屋外に施工されている。本実施形態では、建物Ｈは戸建て住宅、デッキ構造１は濡れ縁である。デッキ構造１は建物Ｈの屋内から掃き出しサッシＷを開けて屋外へ出たところに配置されている。
【００２４】
図２に示すように、デッキ構造１は、地面Ｇの上に基礎Ｋを介して配置された複数（図例では１２個）の支持脚１１と、支持脚１１の上に載置された大引４と、大引４の上に敷設されたフロアパネル５とを含んで構成されている。大引４とフロアパネル５とでデッキ材２が構成されている。建物Ｈ側を除くデッキ材２の左右の側面及び前の側面に幕板３ａ，３ｂが取り付けられている。左右の幕板３ａは大引４の木口を隠し、前の幕板３ｂは大引４の側面を隠す。
【００２５】
以上のようなデッキ構造１において、支持脚１１は、その周囲がカバー１０で覆われている。なお、図２は、複数の支持脚１１の一部にのみカバー１０が取り付けられた状態を示している。
【００２６】
（２）カバー
図３はカバー１０の分解斜視図、図４は支持脚１１に上記カバー１０を取り付けた状態を示す斜視図である。
【００２７】
［２−１］支持脚の構成
支持脚１１は、基部１１ａと支柱部１１ｂと支持部１１ｃとを有する。基部１１ａは、円盤状であり、地面Ｇに形成された基礎Ｋに接着剤やボルト等によって固定されている。支柱部１１ｂは、円柱状であり、基部１１ａの上面に立設されて大引４を下方から支持する。支持部１１ｃは、円盤状であり、支柱部１１ｂの上端部に設けられて大引４が上面に載置される。
【００２８】
支柱部１１ｂは、基部１１ａの上面に一体に結合された下部１１ｂＬと、支持部１１ｃの下面に一体に結合された上部１１ｂＵと、下部１１ｂＬに下端部が螺合され上部１１ｂＵに上端部が螺合された中間部１１ｂＭとを含む。中間部１１ｂＭの上下端部の螺合は相互に逆ネジになっており、基部１１ａ及び下部１１ｂＬと支持部１１ｃ及び上部１１ｂＵとを回らないようにした状態で中間部１１ｂＭを軸中心に回すことにより、支持脚１１の基部１１ａの下面から支持部１１ｃの上面までの高さが調節可能に構成されている。
【００２９】
支持脚１１には、高さ調節した後の下部１１ｂＬと中間部１１ｂＭとの回転及び上部１１ｂＵと中間部１１ｂＭとの回転を規制するための回り止め１１ｄが装着されている。
【００３０】
基部１１ａ、支柱部１１ｂ、及び支持部１１ｃの水平方向の寸法、すなわち径は、支持脚１１が安定して基礎Ｋの上面に載置されるように基部１１ａの径が比較的大きく形成されている。また、大引４が安定して支持部１１ｃの上面に載置されるように支持部１１ｃの径が比較的大きく形成されている。その結果、支柱部１１ｂの径が基部１１ａの径より小さく形成され、また支持部１１ｃの径より小さく形成されている。
【００３１】
［２−２］カバーの構成
上記支持脚１１の周囲を覆うカバー１０は、支柱部カバー部材１２と基部カバー部材１３とを有する。支柱部カバー部材１２及び基部カバー部材１３は、それぞれ、同一形状の２個の構成部品１２１，１３１が係脱可能に組み合わされてなっている。
【００３２】
＜ｉ＞支柱部カバー部材
支柱部カバー部材１２は、支持脚１１の支柱部１１ｂを覆うための部分であり、正方形の断面形状を有する長尺な四角筒形状に形成されている。
【００３３】
支柱部カバー部材１２は、その四角筒形状が対角線で２分割されたときに生成する同一形状の２個の構成部品１２１が相互に係脱可能に組み合わされている。
【００３４】
すなわち、支柱部カバー部材１２は、図５にも示すように、水平方向の長さが相互に同一の２つの縦壁１２２が直角に交わったＬ字状の断面形状を有する２個の長尺な構成部品１２１からなる。各構成部品１２１は、一方の縦壁１２２の側縁端部に係合部１２１ａが形成され、他方の縦壁１２２の側縁端部に被係合部１２１ｂが形成されている。そして、２個の構成部品１２１は、相互に自己の被係合部１２１ｂが相手の係合部１２１ａに係合されることにより、係脱可能に組み合わされている。
【００３５】
支柱部カバー部材１２は、支柱部１１ｂの周囲を覆うことが可能なように、水平方向の寸法、すなわち構成部品１２１の縦壁１２２の水平方向の長さが支柱部１１ｂの径より大きく形成されている。
【００３６】
支柱部カバー部材１２の構成部品１２１は、耐候性に優れる樹脂成形品であり、例えばポリ塩化ビニル（ＰＶＣ）樹脂やアクリロニトリル−スチレン−アクリレート（ＡＳＡ）共重合樹脂の押出成形で作成されている。
【００３７】
なお、図３に符号Ｘで示すように、支持脚１１の支柱部１１ｂと支柱部カバー部材１２との間に一対のガタツキ防止のための緩衝材（樹脂発泡体等）が挟み込まれている。
【００３８】
＜ｉｉ＞基部カバー部材
基部カバー部材１３は、支持脚１１の基部１１ａを覆うための部分であり、正方形の断面形状を有する扁平な四角箱形状に形成されている。
【００３９】
先に基部カバー部材１３の全体を説明し、その後で構成部品１３１を説明する。基部カバー部材１３は、図６〜図９にも示すように、水平方向の長さが相互に同一の４つの縦壁１３２と、各縦壁１３２の上端部から上方内側に傾斜して延びる４つの傾斜壁１３３と、各傾斜壁１３３の上端部から垂下する４つの内壁１３４と、各内壁１３４の下端部から水平方向内側に延び、先端部が円弧状に形成された４つの横壁１３５とを有する。基部カバー部材１３は、４つの縦壁１３２の下端部で画成される正方形状の底面開口１３Ａと、４つの傾斜壁１３３の上端部で画成される正方形状の上面開口１３Ｂと、４つの横壁１３５の先端部で画成される円形状の内部開口１３Ｃとを有する。
【００４０】
上記横壁１３５に、内壁１３４と水平方向に所定の間隔をあけて対向する係合爪１３６が立設されている。係合爪１３６は各内壁１３４に対して複数（図例では４個）設けられている。複数の係合爪１３６は相互に水平方向に所定の間隔をあけて一列に並んでいる。そのため、係合爪１３６と内壁１３４との間に上方が開放された係合溝１４１が形成されている。すなわち、基部カバー部材１３は、各内壁１３４に沿って延びる４つの係合溝１４１を有する。内壁１３４は係合溝１４１の一方（外側）の側壁であり、係合爪１３６は係合溝１４１の他方（内側）の側壁である。
【００４１】
図１０（図１０は複数の係合爪１３６のうち列方向の一端部にある係合爪１３６の位置での縦断面図である）に示すように、係合爪１３６の上端部に、係合溝１４１側に突出する突起１４２が形成されている。突起１４２の先端部と内壁１３４の内面との間の水平方向の距離は、支柱部カバー部材１２の下端部の厚みより小さく形成されている。そのため、支柱部カバー部材１２の下端部が係合溝１４１に上方から係合されたとき、係合爪１３６は支柱部カバー部材１２に押圧され、弾性により内側に湾曲するように撓む。この撓みの反力により支柱部カバー部材１２の下端部が突起１４２と内壁１３４との間に挟み込まれ抜け難くなる。支柱部カバー部材１２の下端部が係合溝１４１から上方に離脱されたとき、係合爪１３６は弾性復元力により図１０に示す元の形状に戻る。
【００４２】
図１０に示すように、係合溝１４１の底壁に貫通孔１３７が形成されている。貫通孔１３７は各係合溝１４１に対して複数（図例では２個）設けられている（図７及び図９参照）。この貫通孔１３７は、支柱部カバー部材１２の下端部が係合溝１４１に係合されている場合に、支柱部カバー部材１２の表面を雨水等が流れ落ちてきたとき、それを係合溝１４１の底壁から地面Ｇに排水するためのものである。
【００４３】
４つの横壁１３５の各境界部に小径の開口１３８が形成されている。この小径開口１３８は、基部カバー部材１３を基礎Ｋに固定する（図４参照）ための接着剤を流し込むためのものである。
【００４４】
図６及び図７に示すように、小径開口１３８に対応して、傾斜壁１３３の下面から囲み壁部１３９が垂下している。囲み壁部１３９は、４つの小径開口１３８のうち対向する所定の２つの小径開口１３８に設けられている。囲み壁部１３９は、小径開口１３８から流し込まれた接着剤を溜めておくためのものである。
【００４５】
基部カバー部材１３は、その四角箱形状が対角線で２分割されたときに生成する同一形状の２個の構成部品１３１が相互に係脱可能に組み合わされている。
【００４６】
すなわち、各構成部品１３１は、図６及び図７に示すように、隣接する２つの縦壁１３２、２つの傾斜壁１３３、２つの内壁１３４、２つの横壁１３５、及び２つの係合溝１４１を有する形状である。各構成部品１３１は、一方の縦壁１３２の側縁端部に係合部１３１ａが形成され、他方の縦壁１３２の側縁端部に被係合部１３１ｂが形成されている。そして、２個の構成部品１３１は、図１１（図１１は縦壁１３２の比較的上部での下方から見た平断面図である）に示すように、相互に自己の被係合部１３１ｂが相手の係合部１３１ａに係合されることにより、係脱可能に組み合わされている。
【００４７】
基部カバー部材１３は、基部１１ａの周囲を覆うことが可能なように、水平方向の寸法、すなわち構成部品１３１の縦壁１３２の水平方向の長さが基部１１ａの径より大きく形成されている。これにより、支持脚１１の基部１１ａが基部カバー部材１３の底面開口１３Ａに収容される。この状態のとき、基部１１ａの直上部、すなわち支柱部１１ｂの下部１１ｂＬが基部カバー部材１３の上面開口１３Ｂ及び内部開口１３Ｃを挿通する。
【００４８】
上述したように、支柱部１１ｂの径は基部１１ａの径より小さく形成されている。そのため、支柱部１１ｂを覆うための支柱部カバー部材１２の水平方向の寸法（構成部品１２１の縦壁１２２の水平方向の長さ）は、基部１１ａを覆うための基部カバー部材１３の水平方向の寸法（構成部品１３１の縦壁１３２の水平方向の長さ）より小さく形成されている。
【００４９】
基部カバー部材１３の構成部品１３１は、耐候性に優れる樹脂成形品であり、例えばポリプロピレン（ＰＰ）樹脂やアクリロニトリル−スチレン−アクリレート（ＡＳＡ）共重合樹脂の射出成形で作成されている。
【００５０】
（３）デッキ構造の施工手順
次に、本実施形態に係るデッキ構造１の施工手順の一例を説明する。
【００５１】
まず、図２に示すように、地面Ｇに形成された基礎Ｋに支持脚１１を立て、支持脚１１の上に大引４を載せる。大引４が複数の支持脚１１で安定して水平に支持されるように各支持脚１１の位置調節及び高さ調節を行う。支持脚１１の位置調節及び高さ調節が済めば、支持脚１１（詳しくはその基部１１ａ）を接着剤やボルト等で基礎Ｋに固定する。また、大引４をビス等で支持脚１１（詳しくはその支持部１１ｃ）に固定する。さらに、大引４の上にフロアパネル５を敷設する。そして、出来上がったデッキ材２の側面に幕板３ａ，３ｂを取り付ける。
【００５２】
その後、支持脚１１にカバー１０を取り付ける。
【００５３】
まず、図３に示すように、基部カバー部材１３の２個の構成部品１３１を、基礎Ｋに固定された支持脚１１の基部１１ａに被せ、係合部１３１ａと被係合部１３１ｂとの係合により相互に組み合わせ、基部１１ａの周囲に扁平四角箱形状の基部カバー部材１３を形成する（図４参照）。基部カバー部材１３の小径開口１３８（図９参照）に接着剤を流し込んで基部カバー部材１３を基礎Ｋに固定する。
【００５４】
次いで、図３に示すように、支柱部カバー部材１２の２個の構成部品１２１を、一対の緩衝材Ｘを挟み込みつつ、基礎Ｋに固定された支持脚１１の支柱部１１ｂに被せ、係合部１２１ａと被係合部１２１ｂとの係合により相互に組み合わせ、支柱部１１ｂの周囲に長尺四角筒形状の支柱部カバー部材１２を形成する（図４参照）。支柱部カバー部材１２の下端部を基部カバー部材１３の係合溝１４１に上方から係合させ、支柱部カバー部材１２を基部カバー部材１３に連結する。
【００５５】
なお、支柱部カバー部材１２を取り付ける前に、支持脚１１の高さ調節を最終確認してもよい。また、支柱部カバー部材１２を取り付けた後に、支柱部カバー部材１２を取り外して支持脚１１の高さ調節を再度行ってもよい。
【００５６】
上述したように、支柱部１１ｂの径は支持部１１ｃの径より小さく形成されている。そのため、支柱部１１ｂを覆うための支柱部カバー部材１２の水平方向の寸法（構成部品１２１の縦壁１２２の水平方向の長さ）は、支持部１１ｃの水平方向の寸法、すなわち径より小さく形成されている。
【００５７】
そこで、本実施形態では、図４及び図１２に示すように、支柱部カバー部材１２は、最終的に支持脚１１の高さ調節が済み、基部カバー部材１３に連結された状態で、支持脚１１の支持部１１ｃが支柱部カバー部材１２の上端部よりも上方に突出する位置に設けられるように、上下方向の寸法、すなわち構成部品１２１の縦壁１２２の上下方向の長さが設定されている。これにより、支持脚１１の支持部１１ｃは、支柱部カバー部材１２の上端部よりも上方に突出し、かつ支柱部カバー部材１２の上方で支柱部カバー部材１２よりも外方に食み出し、すなわちオーバーハングしている。
【００５８】
この場合、支持部１１ｃはカバー１０で覆われず、露出する。しかし、支持部１１ｃは支持脚１１の上端部にあり、デッキ構造１の上部にあるので、通常の目の高さからはデッキ材２で隠れて見えない。しかも、デッキ材２の側面に幕板３ａ，３ｂが取り付けられているので、なおさら支持部１１ｃは見え難くなり、デッキ構造１の見栄えを低下させることがない。
【００５９】
カバー１０は、全ての支持脚１１に取り付ける必要はない。図１から明らかなように、デッキ材２の側縁部に近い支持脚１１以外（デッキ材２の奥方にある支持脚１１）は、通常の目の高さからはデッキ材２で隠れて見えない。そのため、デッキ材２の奥方にある支持脚１１にカバー１０を取り付けなくても構わない場合がある。
【００６０】
（４）作用
以上説明したように、本実施形態に係るデッキ支持脚のカバー構造、すなわち、地面Ｇの上に基礎Ｋを介して配置された支持脚１１と、支持脚１１の上に載置されたデッキ材２（すなわち大引４および大引４の上に敷設されたフロアパネル５）とを有するデッキ構造１に用いられる上記支持脚１１の周囲を覆うカバー１０の構造は、次のような特徴を有する。
【００６１】
上記支持脚１１は、地面Ｇに形成された基礎Ｋに固定される基部１１ａと、基部１１ａに立設されてデッキ材２を下方から支持し、水平方向の寸法が基部１１ａより小さい支柱部１１ｂとを有する。
【００６２】
上記カバー１０は、上記基部１１ａを覆うための基部カバー部材１３と、水平方向の寸法が基部カバー部材１３より小さい、上記支柱部１１ｂを覆うための支柱部カバー部材１２とを有する。
【００６３】
この構成によれば、デッキ構造１に用いられる支持脚１１の周囲を覆うカバー１０は、支持脚１１の基部１１ａを覆うための基部カバー部材１３と、支持脚１１の支柱部１１ｂを覆うための支柱部カバー部材１２とに分離している。また、支柱部１１ｂの水平方向の寸法が基部１１ａより小さいので、支柱部カバー部材１２の水平方向の寸法が基部カバー部材１３より小さくされている。そのため、支柱部カバー部材１２が小型化し、支柱部カバー部材１２を含むカバー１０全体が目立つことが抑制される。また、カバー１０の材料費も少なくて済む。
【００６４】
以上により、本実施形態によれば、デッキ構造１の見栄えを低下させず、コストアップも抑制されるデッキ支持脚のカバー構造が提供される。
【００６５】
本実施形態においては、基部カバー部材１３及び支柱部カバー部材１２は、それぞれ、同一形状の２個の構成部品１３１，１２１が係脱可能に組み合わされてなっている。
【００６６】
この構成によれば、基部カバー部材１３及び支柱部カバー部材１２が２個の構成部品１３１，１２１の組み合わせでなるので、カバー１０をどのような時期にでも支持脚１１に取り付け又は支持脚１１から取り外すことができる。例えば、支持脚１１の高さ調節が終った後でカバー１０を支持脚１１に取り付けることができる。そのため、支持脚１１の高さ調節がカバー１０で邪魔されずに行える。また、カバー１０を支持脚１１に取り付けた後に支持脚１１の高さ調節が必要になった場合でも、カバー１０を取り外して支持脚１１の高さ調節を再度行うことができる。加えて、各カバー部材１３，１２の構成部品１３１，１２１が同一形状なので、構成部品１３１，１２１の種類が少なくて済み、この点からもコストアップが抑制される。
【００６７】
本実施形態においては、基部カバー部材１３は、支柱部カバー部材１２の下端部が係合可能な係合溝１４１を有する。
【００６８】
この構成によれば、上記係合溝１４１により、支柱部カバー部材１２を基部カバー部材１３に係脱可能に連結できる。
【００６９】
本実施形態においては、基部カバー部材１３は、上記係合溝１４１の内側の側壁、すなわち係合爪１３６に設けられた突起１４２を有する。
【００７０】
この構成によれば、上記突起１４２により、支柱部カバー部材１２を係合溝１４１に挟み込んで抜け難くできる。
【００７１】
本実施形態においては、基部カバー部材１３は、上記係合溝１４１の底壁に設けられた貫通孔１３７を有する。
【００７２】
この構成によれば、上記貫通孔１３７により、支柱部カバー部材１２の表面を流れ落ちてきた雨水等を係合溝１４１の底壁から地面Ｇに排水できる。
【００７３】
本実施形態においては、上記支持脚１１は、支柱部１１ｂの上端部に設けられてデッキ材２が載置される支持部１１ｃを有し、上記支持部１１ｃは、支柱部カバー部材１２の上端部よりも上方に突出する位置に設けられている。
【００７４】
この構成によれば、支持脚１１の支持部１１ｃに確実にデッキ材２が載置され、誤って支柱部カバー部材１２の上端部にデッキ材２が載置されることが回避される。そのため、カバー１０の破損が抑制される。
【００７５】
（５）変形例
支柱部カバー部材１２の構成部品１２１の数や基部カバー部材１３の構成部品１３１の数は２個に限定されず、例えば４個等とすることもできる。
【００７６】
係合爪１３６の突起１４２や係合溝１４１の貫通孔１３７は省略することができる。
【００７７】
支持脚１１の支持部１１ｃは支柱部カバー部材１２の上端部よりも上方に突出していればよく、支柱部カバー部材１２よりも外方に食み出していなくても構わない。
【００７８】
支柱部１１ｂと支柱部カバー部材１２との間に緩衝材Ｘを介在させたが、緩衝材Ｘは無くてもよい。
【符号の説明】
【００７９】
１      デッキ構造
２      デッキ材
４      大引
５      フロアパネル
１０    カバー
１１    支持脚
１１ａ  基部
１１ｂ  支柱部
１１ｃ  支持部
１２    支柱部カバー部材
１３    基部カバー部材
１２１  支柱部カバー部材の構成部品
１３１  基部カバー部材の構成部品
１３６  係合爪（係合溝の側壁）
１３７  貫通孔
１４１  係合溝
１４２  突起
Ｇ      地面
Ｋ      基礎
【図１】
2015086583.tif 000003
【図２】
2015086583.tif 000004
【図３】
2015086583.tif 000005
【図４】
2015086583.tif 000006
【図５】
2015086583.tif 000007
【図６】
2015086583.tif 000008
【図７】
2015086583.tif 000009
【図８】
2015086583.tif 000010
【図９】
2015086583.tif 000011
【図１０】
2015086583.tif 000012
【図１１】
2015086583.tif 000013
【図１２】
2015086583.tif 000014